(57)【要約】【課題】自動販売機の制御装置において、商品搬出プロセスの表示を行うための専用の表示装置について、金額表示装置と兼用し、共用化を図る。【解決手段】演算制御部１ａと、自動販売機全体を制御する主制御部２と、投入金額を表示する表示手段３と、商品毎の搬出時間を記憶する搬出時間記憶手段４と、表示手段３に表示するパターンを記憶している表示パターン記憶手段５と、時間を計測するためのタイマー６から構成されており、表示手段３は、商品購入者がお金を投入した時には投入金額を表示し、購入商品を選択してからは商品が搬出されるまでの間、商品搬出状態を示すプロセス表示をすることができ、商品搬出プロセス表示専用の表示装置がなくても商品搬出プロセスを商品購入者に知らせることができる。【選択図】  図１
2004295616.tif 000002
【特許請求の範囲】
【請求項１】
自動販売機全体を制御する主制御部と、投入金額を表示する表示手段と、商品搬出の時間を記憶する搬出時間記憶手段と、前記表示手段への表示パターンを複数記憶する表示パターン記憶手段と、時間を計測するタイマーと、前記主制御部と前記表示手段と前記搬出時間記憶手段と前記表示パターン記憶手段と前記タイマーに接続された演算制御部とからなり、前記主制御部より投入金額の入力があった場合、前記演算制御部は、前記表示手段に投入金額を表示し、前記主制御部より商品搬出の入力があった場合、前記演算制御部は、前記タイマーの計測を開始し、前記搬出時間記憶手段に記憶している搬出時間に達するまで、前記表示パターン記憶手段に記憶している表示パターンを順次切り換えて前記表示手段に表示する自動販売機の制御装置。
【請求項２】
商品搬出の時間を設定する設定手段とを設け、演算制御部は、前記設定手段により時間設定の入力があれば前記搬出時間記憶手段に記憶する請求項１記載の自動販売機の制御装置。
【請求項３】
商品搬出動作が一時停止していることを検知する検知手段とを設け、演算制御部は、前記検知手段により商品搬出動作が一時停止していることを検知すれば前記表示手段の表示を順次切り換えずに一時停止する請求項１記載の自動販売機の制御装置。
【請求項４】
発音手段とを設け、演算制御部は、前記表示手段の表示に合わせて前記発音手段を発音する請求項１記載の自動販売機の制御装置。
【請求項５】
発音手段を発音するかしないかを選択する選択手段とを設け、演算制御部は、前記選択手段により前記発音手段を発音に選択されている場合のみ前記発音手段の発音を行う請求項４記載の自動販売機の制御装置。
【発明の詳細な説明】
【０００１】
【発明の属する技術分野】
本発明は、自動販売機において商品搬出中に、搬出状態を表示する機能を提供する自動販売機の制御装置に関するものである。
【０００２】
【従来の技術】
従来では、自動販売機が選択ボタンを押せば、瞬時に販売されるタイプのものが主流であったが、最近の自動販売機では、多種類の商品を販売するために、商品購入者が商品選択後、商品が提供されるまでに時間を要するものも開発されてきた。たとえば、カップ式自動販売機では、商品の抽出状態が見えないために、どの位の待ち時間があるのか、購入者にはわからないことがあった。
【０００３】
そこでカップ式自動販売機の飲料抽出状態を購入者に明確に知らせるための専用の表示装置を設けたものがある（例えば、特許文献１参照。）。これは、飲料の抽出状態を段階的にランプが点灯するもので、購入者は、おおよその待ち時間を予測することができるものである。
【０００４】
【特許文献１】
特開平１１−３９５６２号公報
【０００５】
【発明が解決しようとする課題】
しかしながら、上記従来の構成は、専用の表示装置を設けて商品搬出プロセスの表示を行うもので、コストアップとなり、表示装置を配置するデザイン上の制約がでてくるという欠点があった。
【０００６】
本発明は、従来の課題を解決するもので、専用の表示装置がなくても、商品搬出までのプロセスを表示できる自動販売機の制御装置を提供することを目的とする。
【０００７】
【課題を解決するための手段】
本発明の請求項１に記載の発明は、自動販売機全体を制御する主制御部と、投入金額を表示する表示手段と、商品搬出の時間を記憶する搬出時間記憶手段と、前記表示手段への表示パターンを複数記憶する表示パターン記憶手段と、時間を計測するタイマーと、前記主制御部と前記表示手段と前記搬出時間記憶手段と前記表示パターン記憶手段と前記タイマーに接続された演算制御部とからなり、前記主制御部より投入金額の入力があった場合、前記演算制御部は、前記表示手段に投入金額を表示し、前記主制御部より商品搬出の入力があった場合、前記演算制御部は、前記タイマーの計測を開始し、前記搬出時間記憶手段に記憶している搬出時間に達するまで、前記表示パターン記憶手段に記憶している表示パターンを順次切り換えて前記表示手段に表示することにより、商品搬出を行う時間の間は、専用の商品搬出の表示手段がなくても、投入金額を表示する表示手段の表示を切り替えて、商品搬出のプロセスを表示する作用を有する。
【０００８】
本発明の請求項２に記載の発明は、請求項１に記載の発明に、さらに、商品搬出の時間を設定する設定手段とを設け、演算制御部は、前記設定手段により時間設定の入力があれば前記搬出時間記憶手段に記憶することにより、販売商品により搬出時間が異なる場合でも、販売商品毎の搬出時間を設定することで、商品搬出を行うときは、搬出時間記憶手段に記憶されている時間の間、商品搬出のプロセスを表示を行い、商品搬出のタイミングと商品搬出プロセス表示のタイミングを確実に一致させることができるという作用を有する。
【０００９】
本発明の請求項３に記載の発明は、請求項１に記載の発明に、さらに、商品搬出動作が一時停止していることを検知する検知手段とを設け、演算制御部は、前記検知手段により商品搬出動作が一時停止していることを検知すれば前記表示手段の商品搬出プロセス表示を一時停止するものであり、表示手段の商品搬出プロセス表示を一時停止することで、搬出動作が停止していることを購入者に知らしめる作用を有する。
【００１０】
本発明の請求項４に記載の発明は、請求項１に記載の発明に、さらに、発音手段とを設け、演算制御部は、前記表示手段の表示に合わせて発音手段を発音するものであり、商品搬出中は、発音手段が音を出すことで、購入者に商品搬出のプロセスをよりわかりやすくするという作用を有する。
【００１１】
本発明の請求項５に記載の発明は、請求項４に記載の発明に、さらに、発音手段を発音するかしないかを選択する選択手段とを設け、演算制御部は、前記選択手段により発音手段を発音に選択されている場合のみ発音手段の発音を行うものであり、選択手段により発音手段を「発音しない」に選択されていない場合は、表示手段による商品搬出のプロセスのみを表示し、自動販売機の設置場所が、静かな環境を要望される設置ロケーションに応じて、購入者への商品搬出の状態の告知方法を選択できる作用を有する。
【００１２】
【発明の実施の形態】
以下、本発明による自動販売機の制御装置の実施の形態について、図面を参照しながら説明する。
【００１３】
（実施の形態１）
図１は、本発明の実施の形態１による自動販売機の制御装置の機能ブロック図である。図２は、同実施の形態の動作を示すフローチャートである。
【００１４】
図１において、演算制御部１ａは、主制御部２からの指示により、表示手段３、搬出時間記憶手段４、表示パターン記憶手段５、タイマー６との間で入出力を行い各種演算を行う。主制御部２は、貨幣検出選別、商品販売制御、販売情報記憶、各種設定情報記憶等、自動販売機全体を制御している。表示手段３は、投入金額や、商品搬出プロセスを表示する７セグメントＬＥＤ等で構成されている。搬出時間記憶手段４は、商品毎の搬出時間を記憶している。表示パターン記憶手段５は、表示手段３に表示する７セグメントＬＥＤの表示パターンを記憶しており、投入金額の表示パターンや商品搬出時のプロセス表示パターンを記憶している。タイマー６は、時間を計測する。
【００１５】
以上のように構成された自動販売機の制御装置について、以下その演算制御部１ａの動作を図２のフローチャートを参照して説明する。
【００１６】
本実施の形態では、商品搬出動作が開始されるまでは、表示手段３は投入された金額を表示し、商品搬出動作が開始されると、商品搬出時のプロセス表示パターンを表示するものである。
【００１７】
まず商品購入者が商品を購入するために、硬貨を投入すると、主制御部２は投入金額を演算制御部１ａに出力する（ＳＴＥＰ１）。演算制御部１ａにおいては、入力した投入金額を表示するために、表示パターン記憶手段５から投入金額を表示するための表示パターンを取り出し（ＳＴＥＰ２）、表示手段３に出力する（ＳＴＥＰ３）。そして、商品購入者が商品を購入するために商品を選択すると主制御部は商品の搬出動作を行うとともに、演算制御部に販売商品を出力する（ＳＴＥＰ４）。
【００１８】
演算制御部１ａにおいては、表示パターン記憶手段５に記憶している商品搬出時のプロセス表示パターンの最初のパターンを取り出して（ＳＴＥＰ５）、表示手段３に出力し（ＳＴＥＰ６）、タイマー６の計測を開始する（ＳＴＥＰ７）。そして、主制御部から入力した商品の搬出時間を搬出時間記憶手段４から取り出し（ＳＴＥＰ８）、表示パターン記憶手段５に記憶している商品搬出時のプロセス表示パターンの１つのパターンあたりの表示時間を演算し（ＳＴＥＰ９）、タイマー６が演算した時間に達したか確認する（ＳＴＥＰ１０）。表示時間に達していれば、最終パターンの表示か確認し（ＳＴＥＰ１１）、最終パターンでなければ次のパターンの表示する処理を繰り返し行う。
【００１９】
以上のように本実施の形態の自動販売機の制御装置は、演算制御部１ａと、自動販売機全体を制御する主制御部２と、投入金額を表示する７セグメントＬＥＤで構成される表示手段３と、商品毎の搬出時間を記憶する搬出時間記憶手段４と、表示手段３に表示する７セグメントＬＥＤのパターンを記憶している表示パターン記憶手段５と、時間を計測するためのタイマー６から構成されているので、商品購入者がお金を投入した時には投入金額を表示し、購入商品を選択してからは商品が搬出されるまでの間、商品搬出状態を示すプロセス表示をすることができ、商品搬出プロセス表示専用の表示手段がなくても商品搬出プロセスを商品購入者に知らしめることができ、その結果、購入者は商品受け取りまでの時間を予測することができて、待たされる感覚を抑え、さらに、“商品が出てこないのでは”というような不安感を除く効果があります。
【００２０】
（実施の形態２）
図３は、本発明の実施の形態２による自動販売機の制御装置の機能ブロック図である。図４は、同実施の形態の動作を示すフローチャートである。
【００２１】
図３において、演算制御部１ｂは、主制御部２からの指示により、表示手段３、搬出時間記憶手段４、表示パターン記憶手段５、タイマー６、設定手段７との間で入出力を行い各種演算を行う。設定手段７は、演算制御部１ｂ接続され、商品毎の商品搬出の時間を設定する。本実施の形態は、実施の形態１による自動販売機の制御装置に、さらに設定手段７を設けたものである。
【００２２】
以上のように構成された自動販売機の制御装置について、以下その演算制御部１ｂの動作を図４のフローチャートを参照して説明する。なお、実施の形態１と同一の処理については同一番号を付してその詳細な説明は省略する。
【００２３】
図４のＳＴＥＰ１からＳＴＥＰ１１は実施の形態１と同じであるため、説明を省略する。
【００２４】
自動販売機管理者は、販売商品が変更となり商品搬出に要する時間が変わった時は、設定手段７により該当商品の搬出時間の設定を行う。
【００２５】
図４において、演算制御部１ｂは、設定手段７より商品搬出時間の入力があれば（ＳＴＥＰ２１）、入力した値を該当商品の搬出時間を記憶する搬出時間記憶手段４に記憶する（ＳＴＥＰ２２）。記憶された搬出時間を元に、ＳＴＥＰ８で主制御部から入力した商品の搬出時間を搬出時間記憶手段４から取り出し（ＳＴＥＰ８）、表示パターン記憶手段５に記憶している商品搬出時のプロセス表示パターンの１つのパターンあたりの表示時間を演算し（ＳＴＥＰ９）、タイマー６が演算した時間に達したか確認する（ＳＴＥＰ１０）。表示時間に達していれば、最終パターンの表示か確認し（ＳＴＥＰ１１）、最終パターンでなければ次のパターンの表示する処理を繰り返し行う。
【００２６】
以上のように本実施の形態の自動販売機の制御装置は、演算制御部１ｂと、自動販売機全体を制御する主制御部２と、投入金額を表示する７セグメントＬＥＤで構成される表示手段３と、商品毎の搬出時間を記憶する搬出時間記憶手段４と、表示手段３に表示する７セグメントＬＥＤのパターンを記憶している表示パターン記憶手段５と、時間を計測するためのタイマー６と、商品毎の商品搬出の時間を設定する設定手段から構成されているので、販売商品が変わって、商品搬出までの時間が変わった場合でも、その搬出時間を搬出時間記憶手段４に設定しておくことにより、商品の搬出時間と表示パターンの進行を同期させることができ、購入者は商品受け取りまでの時間を確実に予測することができて、待たされる感覚を抑えることができる。
【００２７】
（実施の形態３）
図５は、本発明の実施の形態３による自動販売機の制御装置の機能ブロック図である。図６は、同実施の形態の動作を示すフローチャートである。
【００２８】
図３において、演算制御部１ｃは、主制御部２からの指示により、表示手段３、搬出時間記憶手段４、表示パターン記憶手段５、タイマー６、検知手段８との間で入出力を行い各種演算を行う。検知手段８は、演算制御部１ｃ接続され、商品搬出動作が一時停止していることを検知する。検知手段８は自動販売機の商品取出し口のフラップ等に設けられている。
【００２９】
本実施の形態は、実施の形態１による自動販売機の制御装置に、さらに検知手段８を設けたものである。
【００３０】
以上のように構成された自動販売機の制御装置について、以下その演算制御部１ｃの動作を図６のフローチャートを参照して説明する。なお、実施の形態１と同一の処理については同一番号を付してその詳細な説明は省略する。
【００３１】
主制御部２において、商品搬出動作開始後、商品購入者が商品が出るまでに商品取出口に手を入れた場合、取出し口のフラップ等に設けた検知手段８が検知して商品搬出を一時停止した場合、演算制御部は、検知手段８により商品搬出が一時停止したことを検知する（ＳＴＥＰ３１）。商品搬出が一時停止すれば、タイマー６の計測を一時停止し（ＳＴＥＰ３２）、商品搬出の一時停止が解除されるのを待つ（ＳＴＥＰ３３）。検知手段８により、一時停止が解除されれば、タイマー６の計測を続ける（ＳＴＥＰ３４）。
【００３２】
以上のように本実施の形態の自動販売機の制御装置は、演算制御部１ｃと、自動販売機全体を制御する主制御部２と、投入金額を表示する７セグメントＬＥＤで構成される表示手段３と、商品毎の搬出時間を記憶する搬出時間記憶手段４と、表示手段３に表示する７セグメントＬＥＤのパターンを記憶している表示パターン記憶手段５と、時間を計測するためのタイマー６と、商品搬出動作が一時停止していることを検知する検知手段８から構成されているので、商品購入者が商品が出るまでに商品取出口に手を入れたために商品搬出動作が一時停止している場合、商品搬出プロセス表示も一時停止することができ、商品購入者に商品搬出が一時停止していることを知らしめることができる。
【００３３】
（実施の形態４）
図７は、本発明の実施の形態４による自動販売機の制御装置の機能ブロック図である。図８は、同実施の形態の動作を示すフローチャートである。
【００３４】
図７において、演算制御部１ｄは、主制御部２からの指示により、表示手段３、搬出時間記憶手段４、表示パターン記憶手段５、タイマー６、発音手段９との間で入出力を行い各種演算を行う。発音手段９は、演算制御部１ｄ接続され、商品搬出プロセスに合わせて発音する。本実施の形態は、実施の形態１による自動販売機の制御装置に、さらに発音手段９を設けたものである。発音手段は例えば、ブザーや音楽等が考えられる。
【００３５】
以上のように構成された自動販売機の制御装置について、以下その演算制御部１ｄの動作を図８のフローチャートを参照して説明する。なお、実施の形態１と同一の処理については同一番号を付してその詳細な説明は省略する。
【００３６】
演算制御部１ｄは、表示手段３に商品搬出プロセスの表示パターンを出力した後（ＳＴＥＰ７）、発音手段９に発音を指示する（ＳＴＥＰ４１）。
【００３７】
発音手段は表示パターンが進行するに従って、音程や音楽のテンポ、種類等に変化を付けると進行の状態が一層わかり易くなる。
【００３８】
以上のように本実施の形態の自動販売機の制御装置は、演算制御部１ｄと、自動販売機全体を制御する主制御部２と、投入金額を表示する７セグメントＬＥＤで構成される表示手段３と、商品毎の搬出時間を記憶する搬出時間記憶手段４と、表示手段３に表示する７セグメントＬＥＤのパターンを記憶している表示パターン記憶手段５と、時間を計測するためのタイマー６と、商品搬出プロセスに合わせて発音する発音手段９から構成されているので、商品搬出プロセス表示に合わせて発音することができ、表示手段３による表示のみより、商品購入者に商品搬出のプロセスをよりわかりやすく知らせることができる。
【００３９】
（実施の形態５）
図９は、本発明の実施の形態４による自動販売機の制御装置の機能ブロック図である。図１０は、同実施の形態の動作を示すフローチャートである。
【００４０】
図９において、演算制御部１ｅは、主制御部２からの指示により、表示手段３、搬出時間記憶手段４、表示パターン記憶手段５、タイマー６、発音手段９、選択手段１０との間で入出力を行い各種演算を行う。選択手段１０は、演算制御部１ｅ接続され、発音手段９の発音するかしないかを選択する。本実施の形態は、実施の形態４による自動販売機の制御装置に、さらに選択手段１０を設けたものである。
【００４１】
以上のように構成された自動販売機の制御装置について、以下その演算制御部１ｅの動作を図１０のフローチャートを参照して説明する。なお、実施の形態４と同一の処理については同一番号を付してその詳細な説明は省略する。
【００４２】
演算制御部１ｅは、表示手段３に商品搬出プロセスの表示パターンを出力した後（ＳＴＥＰ７）、選択手段１０により発音するように選択されていれば（ＳＴＥＰ５１）、発音手段９に発音を指示する（ＳＴＥＰ４１）。発音しないように選択されていれば、ＳＴＥＰ４１の発音指示はなく、表示のみとなる。
【００４３】
以上のように本実施の形態の自動販売機の制御装置は、演算制御部１ｅと、貨幣検出選別、商品販売制御、販売情報記憶、各種設定情報記憶等、自動販売機全体を制御する主制御部２と、投入金額を表示する７セグメントＬＥＤで構成される表示手段３と、商品毎の搬出時間を記憶する搬出時間記憶手段４と、表示手段３に表示する７セグメントＬＥＤのパターンを記憶している表示パターン記憶手段５と、時間を計測するためのタイマー６と、商品搬出プロセスに合わせて発音する発音手段９と、発音手段９の発音するかしないかを選択する選択手段から構成されているので、商品搬出プロセス表示に合わせて発音するかしないかを選択することができ、自動販売機の設置ロケーションに応じて発音するかしないかを選択することができる。
【００４４】
例えば、特に静かな設置環境では、音の発生を消すことで、静かな販売状況を作ることができる。また、にぎやかな設置環境では、搬出の進行を表示と音で知らせることができ、効果的な販売環境を選択することができる。
【００４５】
【発明の効果】
以上説明したように請求項１記載の発明は、自動販売機全体を制御する主制御部と、投入金額を表示する７セグメントＬＥＤで構成される表示手段と、商品毎の搬出時間を記憶する搬出時間記憶手段と、表示手段に表示する７セグメントＬＥＤのパターンを記憶している表示パターン記憶手段と、時間を計測するためのタイマーから構成されているので、商品購入者がお金を投入した時には投入金額を表示し、購入商品を選択してからは商品が搬出されるまでの間、商品搬出状態を示すプロセス表示をすることができ、商品搬出プロセス表示専用の表示手段がなくても商品搬出プロセスを商品購入者に知らしめることができるようになる。
【００４６】
また、請求項２に記載の発明は、請求項１に記載の発明に加えて商品毎の商品搬出の時間を設定する設定手段を備えることにより、販売商品が変わって、商品搬出までの時間が変わった場合でも、その搬出時間を設定しておくことにより、確実に商品搬出プロセスを商品購入者に知らしめることができる。
【００４７】
また、請求項３に記載の発明は、請求項１に記載の発明に加えて商品搬出動作が一時停止していることを検知する検知手段を備えることにより、商品購入者が商品が出るまでに商品取出口に手を入れたために商品搬出動作が一時停止している場合、商品搬出プロセス表示も一時停止することができ、商品購入者に商品搬出が一時停止していることを知らしめることができる。
【００４８】
また、請求項４に記載の発明は、請求項１に記載の発明に加えて商品搬出プロセスに合わせて発音する発音手段を備えることにより、商品搬出プロセス表示に合わせて発音することができ、商品購入者に商品搬出のプロセスをわかりやすく知らしめることができる。
【００４９】
また、請求項５に記載の発明は、請求項４に記載の発明に加えて発音手段により発音するかしないかを選択する選択手段を備えることにより、商品搬出プロセス表示に合わせて発音するかしないかを選択することができ、自動販売機の設置ロケーションに応じて発音するかしないかを選択することができる。
【図面の簡単な説明】
【図１】本発明による自動販売機の制御装置の実施の形態１のブロック図
【図２】同実施の形態の自動販売機の制御装置の動作を示すフローチャート
【図３】本発明による自動販売機の制御装置の実施の形態２のブロック図
【図４】同実施の形態の自動販売機の制御装置の動作を示すフローチャート
【図５】本発明による自動販売機の制御装置の実施の形態３のブロック図
【図６】同実施の形態の自動販売機の制御装置の動作を示すフローチャート
【図７】本発明による自動販売機の制御装置の実施の形態４のブロック図
【図８】同実施の形態の自動販売機の制御装置の動作を示すフローチャート
【図９】本発明による自動販売機の制御装置の実施の形態５のブロック図
【図１０】同実施の形態の自動販売機の制御装置の動作を示すフローチャート
【符号の説明】
１ａ、１ｂ、１ｃ、１ｄ、１ｅ  演算制御部
２    主制御部
３    表示手段
４    搬出時間記憶手段
５    表示パターン記憶手段
６    タイマー
７    設定手段
８    検知手段
９    発音手段
１０  選択手段
【図１】
2004295616.tif 000003
【図２】
2004295616.tif 000004
【図３】
2004295616.tif 000005
【図４】
2004295616.tif 000006
【図５】
2004295616.tif 000007
【図６】
2004295616.tif 000008
【図７】
2004295616.tif 000009
【図８】
2004295616.tif 000010
【図９】
2004295616.tif 000011
【図１０】
2004295616.tif 000012